(57)【要約】【課題】エネルギー貯蔵装置のための保安装置を提供する。【解決手段】ドア開閉センサ及び鍵開け閉めセンサからドアの開閉可否と鍵の開け閉め可否を含む保安状態情報を入力されるセンサ入力部と、ユーザから入力されるかユーザに情報を表示するＨＭＩ部と、センサ入力部を介して獲得した保安状態情報が複数個の順序を有する保安状態条件を順番に満足するのか否かに応じてエネルギー貯蔵装置の内部を操作可能に許容する保安状態マシンと、を含むエネルギー貯蔵装置のための保安装置が提供される。【選択図】図１
2015175232.tif 000002
【特許請求の範囲】
【請求項１】
ドア開閉センサ及び鍵開け閉めセンサからドアの開閉可否と鍵の開け閉め可否を含む保安状態情報を入力されるセンサ入力部と、
ユーザから入力されるかユーザに情報を表示するＨＭＩ部と、
前記センサ入力部を介して獲得した保安状態情報が複数個の順序を有する保安状態条件を順番に満足するのか否かに応じてエネルギー貯蔵装置の内部を操作可能に許容する保安状態マシンと、を含むエネルギー貯蔵装置のための保安装置。
【請求項２】
前記保安状態マシンは、
前記エネルギー貯蔵装置の一般的な基本動作を行うユーザモード、前記エネルギー貯蔵装置の定期点検や管理のためにドアを開けるための管理者モード、任意的・悪意的操作が認識されることによる警報措置を実行するエラーモードを含む複数個の保安状態モードを運営し、
前記複数個の保安状態モード間の転換条件は、
ユーザモード−管理者モード転換条件、ユーザモード−エラーモード転換条件、管理者モード−ユーザモード転換条件、管理者モード−エラーモード転換条件、エラーモード−ユーザモード転換条件を含む、請求項１に記載のエネルギー貯蔵装置のための保安装置。
【請求項３】
前記ユーザモード−管理者モード転換条件は、
ユーザモード状態で前記ＨＭＩ部を介して管理者モードに転換し、取っ手の鍵を開けてドアを開放することが順番に行われることであり、
前記保安状態マシンは前記ユーザモード−管理者モード転換条件が満足されればユーザモードから管理者モードへの転換を行う、請求項２に記載のエネルギー貯蔵装置のための保安装置。
【請求項４】
前記ユーザモード−エラーモード転換条件は、
前記ＨＭＩを介して管理者モードに転換し、鍵が閉まった状態でドアを開放することが行われるか、
前記ＨＭＩを介した管理者モードへの転換なしに鍵が開いた状態になるか、
前記ＨＭＩを介した管理者モードへの転換なしにドアが開放されることのうちいずれか一つであり、
前記保安状態マシンは前記ユーザモード−エラーモード転換条件が満足されればユーザモードからエラーモードへの転換を行う、請求項２に記載のエネルギー貯蔵装置のための保安装置。
【請求項５】
前記管理者モード−ユーザモード転換条件は、
ドアを閉めて取っ手の鍵を閉めた後、前記ＨＭＩ部を介してユーザモードに転換されることであり、
前記保安状態マシンは前記管理者モード−ユーザモード転換条件が満足されれば管理者モードからユーザモードへの転換を行う、請求項２に記載のエネルギー貯蔵装置のための保安装置。
【請求項６】
前記管理者モード−ユーザモード転換条件は、
ドアを閉めて取っ手の鍵を閉めることが順番に行われることであり、
前記保安状態マシンは前記管理者モード−ユーザモード転換条件が満足されれば決められた時間が経過してから管理者モードからユーザモードへの転換を行う、請求項２に記載のエネルギー貯蔵装置のための保安装置。
【請求項７】
前記管理者モード−エラーモード転換条件は、
鍵を開けた状態又はドアが開放された状態で前記ＨＭＩ部を介してユーザモードに復帰しようとする試みがあることであり、
前記保安状態マシンは前記管理者モード−エラーモード転換条件が満足されれば管理者モードからエラーモードへの転換を行う、請求項２に記載のエネルギー貯蔵装置のための保安装置。
【請求項８】
前記エラーモード−ユーザモード転換条件は、
ドアを閉めて取っ手の鍵を閉めた後、前記ＨＭＩ部を介してユーザモードに転換されることが順番に行われることであり、
前記保安状態マシンは前記エラーモード−ユーザモード転換条件が満足されればエラーモードからユーザモードへの転換を行う、請求項２に記載のエネルギー貯蔵装置のための保安装置。
【請求項９】
前記ドア開閉センサはカメラセンサを含み、
前記カメラセンサはドアが開放されると撮影動作を行う、請求項１に記載のエネルギー貯蔵装置のための保安装置。
【請求項１０】
ドア開閉センサ及び鍵開け閉めセンサからドアの開閉可否と鍵の開け閉め可否を含む保安状態情報を獲得するステップと、
前記獲得した保安状態情報が複数個の順序を有する保安状態条件を順番に満足するのか否かに応じてエネルギー貯蔵装置の内部を操作可能に許容するステップと、を含むエネルギー貯蔵装置のための保安装置の動作方法。
【請求項１１】
前記エネルギー貯蔵装置の内部を操作可能に許容するステップは、
前記エネルギー貯蔵装置の一般的な基本動作を行うユーザモード、前記エネルギー貯蔵装置の定期点検や管理のためにドアを開けるための管理者モード、任意的・悪意的操作が認識されることによる警報措置を実行するエラーモードを含む複数個の保安状態モード間を転換するステップを含み、
前記複数個の保安状態モード間の転換条件は、
ユーザモード−管理者モード転換条件、ユーザモード−エラーモード転換条件、管理者モード−ユーザモード転換条件、管理者モード−エラーモード転換条件、エラーモード−ユーザモード転換条件を含む、請求項１０に記載のエネルギー貯蔵装置のための保安装置の動作方法。
【請求項１２】
前記ユーザモード−管理者モード転換条件は、
ユーザモード状態でユーザの入力を介して管理者モードに転換し、取っ手の鍵を開けてドアを開放することが順番に行われることであり、
前記エネルギー貯蔵装置の内部を操作可能に許容するステップは、
前記ユーザモード−管理者モード転換条件が満足されればユーザモードから管理者モードへの転換を行うステップを含む、請求項１１に記載のエネルギー貯蔵装置のための保安装置の動作方法。
【請求項１３】
前記ユーザモード−エラーモード転換条件は、
ユーザ入力介して管理者モードに転換し、鍵が閉まった状態でドアを開放することが行われるか、
前記ユーザ入力を介した管理者モードへの転換なしに鍵が開いた状態になるか、
前記ユーザ入力を介した管理者モードへの転換なしにドアが開放されることのうちいずれか一つであり、
前記エネルギー貯蔵装置の内部を操作可能に許容するステップは、
前記ユーザモード−エラーモード転換条件が満足されればユーザモードからエラーモードへの転換を行うステップを含む、請求項１１に記載のエネルギー貯蔵装置のための保安装置の動作方法。
【請求項１４】
前記管理者モード−ユーザモード転換条件は、
ドアを閉めて取っ手の鍵を閉めた後、前記ＨＭＩ部を介してユーザモードに転換されることであり、
前記エネルギー貯蔵装置の内部を操作可能に許容するステップは、
前記管理者モード−ユーザモード転換条件が満足されれば管理者モードからユーザモードへの転換を行うステップを含む、請求項１１に記載のエネルギー貯蔵装置のための保安装置の動作方法。
【請求項１５】
前記管理者モード−ユーザモード転換条件は、
ドアを閉めて取っ手の鍵を閉めることが順番に行われることであり、
前記エネルギー貯蔵装置の内部を操作可能に許容するステップは、
前記管理者モード−ユーザモード転換条件が満足されれば決められた時間が経過してから管理者モードからユーザモードへの転換を行う、請求項１１に記載のエネルギー貯蔵装置のための保安装置の動作方法。
【発明の詳細な説明】
【技術分野】
【０００１】
本発明はエネルギー貯蔵装置のための保安装置に関するものであり、より詳しくは、保安状態マシン及びセンサなどを内装し、許可された管理者に限ってエネルギー貯蔵装置の内部を操作可能にして装置及びユーザの安全及び保安を確保するエネルギー貯蔵装置のための保安装置に関するものである。
【背景技術】
【０００２】
エネルギー貯蔵装置（ｅｎｅｒｇｙ  ｓｔｏｒａｇｅ  ｓｙｓｔｅｍ）は、系統から生成された電力をバッテリに貯蔵するか、バッテリに貯蔵された電力を系統又は負荷に供給する機能を行う。
【０００３】
エネルギー貯蔵装置は系統（Ｇｒｉｄ）と負荷に連結されて系統から供給される電力を貯蔵するか、逆に系統や負荷に電力を供給する。
【０００４】
従来のエネルギー貯蔵装置は一般ユーザの不注意や許可されていないユーザからの任意的又は悪意的操作に単に鍵開け閉め装置のみを介して保安に備えていたため十分に安全ではなかった。その意味は、鍵開け閉め装置を破損又は不法に開ければ容易にシステムの構成変更、導電、感電、火災など多くの問題をもたらす恐れがあるということである。
【発明の概要】
【発明が解決しようとする課題】
【０００５】
本発明が解決しようとする課題は、保安状態マシン及びセンサなどを内装し、許可された管理者のみエネルギー貯蔵装置の内部を操作可能にして装置及びユーザの安全及び保安を確保するエネルギー貯蔵装置のための保安装置を提供することにある。
【課題を解決するための手段】
【０００６】
本発明の一側面によると、ドア開閉センサ及び鍵開け閉めセンサからドアの開閉可否と鍵の開け閉め可否を含む保安状態情報を入力されるセンサ入力部と、ユーザから入力されるかユーザに情報を表示するＨＭＩ部と、前記センサ入力部を介して獲得した保安状態情報が複数個の順序を有する保安状態条件を順番に満足するのか否かに応じて前記エネルギー貯蔵装置の内部を操作可能に許容する保安状態マシンと、を含むエネルギー貯蔵装置のための保安装置が提供される。
【０００７】
前記エネルギー貯蔵装置のための保安装置は外部の他の機器と通信を行う上位通信部を更に含む。
【０００８】
前記保安状態マシンは、前記エネルギー貯蔵装置の一般的な基本動作を行うユーザモード、前記エネルギー貯蔵装置の定期点検や管理のためにドアを開けるための管理者モード、任意的・悪意的操作が認識されることによる警報措置を実行するエラーモードを含む複数個の保安状態モードを運営する。
【０００９】
前記複数個の保安状態モード間の転換条件は、ユーザモード−管理者モード転換条件、ユーザモード−エラーモード転換条件、管理者モード−ユーザモード転換条件、管理者モード−エラーモード転換条件、エラーモード−ユーザモード転換条件のうち一つ以上を含む。
【００１０】
前記ユーザモード−管理者モード転換条件は、ユーザモード状態でＨＭＩを介して管理者モードに転換し、取っ手の鍵を開けて（ｕｎｌｏｃｋ）ドアを開放（ｏｐｅｎ）することが順番に行われることであり、前記保安状態マシンは前記ユーザモード−管理者モード転換条件が満足されればユーザモードから管理者モードへの転換を行う。
【００１１】
前記ユーザモード−エラーモード転換条件は、ＨＭＩを介して管理者モードに転換し、鍵を閉めた（ｌｏｃｋ）状態でドアを開放することが順番に行われるか、ＨＭＩを介した管理者モードへの転換なしに鍵を開けた状態になるか、ＨＭＩを介した管理者モードへの転換なしにドアが開放されることのうちいずれか一つであり、前記保安状態マシンは前記ユーザモード−エラーモード転換条件が満足されればユーザモードからエラーモードへの転換を行う。
【００１２】
前記管理者モード−ユーザモード転換条件は、ドアを閉めて（ｃｌｏｓｅ）取っ手の鍵を閉めた（ｌｏｃｋ）後でＨＭＩを介して管理者モードに転換されることであり、前記保安状態マシンは前記管理者モード−ユーザモード転換条件が満足されれば管理者モードからユーザモードへの転換を行う。
【００１３】
前記管理者モード−ユーザモード転換条件は、ドアを閉めて取っ手の鍵を閉めることが順番に行われることであり、前記保安状態マシンは前記管理者モード−ユーザモード転換条件が満足されれば決められた時間が経過してから管理者モードからユーザモードへの転換を行う。
【００１４】
前記管理者モード−エラーモード転換条件は、鍵を開けた状態又はドアが開放された状態でＨＭＩを介してユーザモードに復帰しようとする試みがあることであり、前記保安状態マシンは前記管理者モード−エラーモード転換条件が満足されれば管理者モードからエラーモードへの転換を行う。
【００１５】
前記エラーモード−ユーザモード転換条件は、ドアを閉めて取っ手の鍵を閉めた後でＨＭＩを介して管理者モードに転換されることが順番に行われることであり、前記保安状態マシンは前記エラーモード−ユーザモード転換条件が満足されればエラーモードからユーザモードへの転換を行う。
【００１６】
前記ドア開閉センサはカメラセンサを含む。
【００１７】
前記カメラセンサはドアが開放されると撮影動作を行う。
【００１８】
本発明の他の側面によると、ドア開閉センサ及び鍵開け閉めセンサからドアの開閉可否と鍵の開け閉め可否を含む保安状態情報を獲得するステップと、前記獲得した保安状態情報が複数個の順序を有する保安状態条件を順番に満足するのか否かに応じて前記エネルギー貯蔵装置の内部を操作可能に許容するステップと、を含むエネルギー貯蔵装置のための保安装置の動作方法が提供される。
【発明の効果】
【００１９】
本発明によると、エネルギー貯蔵装置で鍵開け閉めを介した単純な保安のため許可されていないユーザの任意的・悪意的操作に脆弱であることをセンサ入力及び保安状態マシンの処理を介して補完することで、状態データを貯蔵し管理することが容易で能動的な保安を介して安全を確保することができる。
【図面の簡単な説明】
【００２０】
【図１】本発明の一実施例によるエネルギー貯蔵装置のための保安装置を示す図である。
【図２】本発明の一実施例によるエネルギー貯蔵装置のための保安装置が設置されたエネルギー貯蔵装置を示す図である。
【図３】本発明の一実施例によるエネルギー貯蔵装置のための保安装置における複数個の保安状態モードを説明するための図である。
【図４】本発明の一実施例によるエネルギー貯蔵装置のための保安装置における各保安状態モード間の転換のための条件を説明するための図である。
【図５】本発明の他の一実施例によるエネルギー貯蔵装置のための保安装置を示す図である。
【図６】本発明の他の一実施例によるエネルギー貯蔵装置のための保安装置の動作方法を示すフローチャートである。
【発明を実施するための形態】
【００２１】
以下、添付した図面を参照して本発明の実施例を詳細に説明する。以下に紹介される実施例は、当業者に本発明の思想が十分に伝達されるようにするために例として提供されるものである。よって、本発明は以下に説明される実施例に限らずに他の形で具体化されてもよい。そして、図面において構成要素の幅、長さ、厚さなどは説明の便宜上誇張されて表現されることもある。明細書全体にわたって同じ参照番号は同じ構成要素を示す。
【００２２】
図１は本発明の一実施例によるエネルギー貯蔵装置のための保安装置を示す図であり、図２は本発明の一実施例によるエネルギー貯蔵装置のための保安装置が設置されたエネルギー貯蔵装置を示す図である。
【００２３】
図１を参照すると、本発明の一実施例によるエネルギー貯蔵装置２００のための保安装置１００はエネルギー貯蔵装置２００内に設置され、センサ入力部１１０、保安状態マシン１２０、ＨＭＩ部１３０、データ貯蔵部１４０、上位通信部１５０を含んで構成される。
【００２４】
センサ入力部１１０はドア開閉センサ及び鍵開け閉めセンサから保安状態情報を入力される。
【００２５】
保安状態マシン１２０は複数個の保安状態モードを運営し、センサ入力部１１０を介して獲得した保安状態情報が複数個の手順を有する保安状態条件を満足するのか否かに応じてエネルギー貯蔵装置２００の内部を操作可能に許容する。
【００２６】
ＨＭＩ部１３０はユーザから入力されるかユーザに情報を表示する。
【００２７】
データ貯蔵部１４０はセンサ状態、ＨＭＩ状態情報、保安状態情報を貯蔵する。
【００２８】
上位通信部１５０は外部の他の機器と通信を行い、保安状態マシン１２０から侵入者の進入情報を管理者に伝送する。
【００２９】
図２を参照すると、本発明の一実施例によるエネルギー貯蔵装置のための保安装置が設置されたエネルギー貯蔵装置２００は第１ドア開閉センサ１１０ａと第２ドア開閉センサ１１０ｂ、ＨＭＩ部１３０を含む。
【００３０】
一側のドアには取っ手２３が設置されており、他側のドアには鍵開け閉め装置が含まれた取っ手２５が設置されている。
【００３１】
第１ドア開閉センサ１１０ａはエネルギー貯蔵装置２００の上部に位置しており、第２ドア開閉センサ１１０ｂはエネルギー貯蔵装置２００の中間に位置してドアの開閉可否を感知する。
【００３２】
第１ドア開閉センサ１１０ａ及び第２ドア開閉センサ１１０ｂは接触センサ又は非接触センサであってもよい。第１ドア開閉センサ１１０ａ及び第２ドア開閉センサ１１０ｂはカメラのような光学センサであってもよい。第１ドア開閉センサ１１０ａ及び第２ドア開閉センサ１１０ｂは同じセンサ方式を採択して設置されてもよく、互いに異なるセンサ方式を採択して設置されてもよい。
【００３３】
第１ドア開閉センサ１１０ａ及び第２ドア開閉センサ１１０ｂがカメラを含んで設置される場合、第１ドア開閉センサ１１０ａ及び第２ドア開閉センサ１１０ｂはドアが開放されると映像撮影動作を開始する。撮影された映像はデータ貯蔵部１４０に貯蔵され、遠隔の保安管理者に伝達される。
【００３４】
図３は、本発明の一実施例によるエネルギー貯蔵装置のための保安装置における複数個の保安状態モードを説明するための図である。
【００３５】
図３を参照すると、保安状態マシンはユーザモード１、管理者モード２、エラーモード３によって保安装置の動作を管理する。
【００３６】
ユーザモード１はエネルギー貯蔵装置の一般的な基本動作（充電、放電）を行うモードである。ユーザモードでユーザはＨＭＩを利用して基本動作のための操作を行う。
【００３７】
管理者モード２は管理者が定期点検やエネルギー貯蔵装置を管理するためにドアを開けるためのモードである。ユーザモードから管理者モードに転換されるためにはユーザモード−管理者モード転換条件が順番通りに行われるべきである。
【００３８】
エラーモード３は任意的・悪意的操作が認識されることによる警報装置実行モードであって、ＨＭＩ部の非活性化又は警報の発生が実行されるモードである。
【００３９】
保安状態マシン１２０はユーザモード状態でセンサ入力部１１０を介して獲得した保安状態情報がユーザモード−管理者モード転換条件を満足すれば管理者モードに転換する。
【００４０】
保安状態マシン１２０はユーザモード状態でセンサ入力部１１０を介して獲得した保安状態情報がユーザモード−エラーモード転換条件を満足すればエラーモードに転換する。
【００４１】
保安状態マシン１２０は管理者モード状態でセンサ入力部１１０を介して獲得した保安状態情報が管理者モード−ユーザモード転換条件を満足すればユーザモードに転換する。
【００４２】
保安状態マシン１２０は管理者モード状態でセンサ入力部１１０を介して獲得した保安状態情報が管理者モード−エラーモード転換条件を満足すればエラーモードに転換する。
【００４３】
保安状態マシン１２０はエラーモード状態でセンサ入力部１１０を介して獲得した保安状態情報がエラーモード−ユーザモード転換条件を満足すればユーザモードに転換する。
【００４４】
図４は、本発明の一実施例によるエネルギー貯蔵装置のための保安装置における各保安状態モード間の転換のための条件を説明するための図である。
【００４５】
図４を参照すると、保安状態マシン１２０は各保安状態モード間の転換のための条件としてユーザモード−管理者モード転換条件、ユーザモード−エラーモード転換条件、管理者モード−ユーザモード転換条件、管理者モード−エラーモード転換条件、エラーモード−ユーザモード転換条件を具備している。
【００４６】
［ユーザモード−管理者モード転換条件］
ユーザモード−管理者モード転換条件はユーザモード１状態から管理者モード２に転換されるための条件である。
【００４７】
保安状態マシン１２０はセンサ入力部１１０を介して獲得した保安状態情報がＨＭＩを介して管理者モードに転換し、取っ手の鍵を開けてドアを開放した場合であればユーザモード−管理者モード転換条件を満足すると判断する。
【００４８】
もし、前記条件ではなく下記条件であれば保安状態マシン１２０非正常な操作を知らせるエラーモード３に転換する。
【００４９】
［ユーザモード−エラーモード転換条件］
ユーザモード−エラーモード転換条件はユーザモード状態からエラーモードに転換されるための条件である。下記エラー転換条件のうちいずれか一つさえ満足してもエラーモードに転換される。
【００５０】
保安状態マシン１２０はセンサ入力部１１０を介して獲得した保安状態情報が下記エラーモード転換条件に当たる場合、ユーザモード−エラーモード転換条件を満足すると判断する。
【００５１】
第１エラー転換条件：ＨＭＩを介して管理者モードに転換し、鍵が閉まった状態でドアが開放される。
【００５２】
第２エラー転換条件：ＨＭＩを介した管理者モードへの転換なしに鍵が開いた状態になる。
【００５３】
第３エラー転換条件：ＨＭＩを介した管理者モードへの転換なしにドアが開放される。
【００５４】
管理者が作業完了の後にユーザモードに転換するための条件は以下のようである。
【００５５】
［管理者モード−ユーザモード転換条件］
管理者モード−ユーザモード転換条件は管理者モード状態からユーザモードに転換されるための条件である。
【００５６】
保安状態マシン１２０がセンサ入力部１１０を介して獲得した保安状態情報がドアを閉め、取っ手の鍵を閉めた後、ＨＭＩを介してユーザモードに転換した場合であり、管理者モード−ユーザモード転換条件を満足すると判断する。
【００５７】
この際、ドアを閉めて取っ手の鍵を閉めてから決められた時間が過ぎれば自動的にユーザモードに転換されるように設定されてもよい。
【００５８】
保安状態マシン１２０前記条件ではなく下記エラーモード転換条件であれば非正常な操作を知らせるエラーモードに転換する。
【００５９】
［管理者モード−エラーモード転換条件］
管理者モード−エラーモード転換条件は管理者モード状態からエラーモードに転換されるための条件である。
【００６０】
保安状態マシン１２０がセンサ入力部１１０を介して獲得した保安状態情報が鍵を開けた状態又はドアが開いた状態でＨＭＩを介してユーザモードに復帰しようとする試みがある場合、管理者モード−エラーモード転換条件を満足すると判断する。
【００６１】
一方、非正常な操作状態であるエラーモードで管理者が正常状態にエネルギー貯蔵装置を復帰させるための方法は以下のようである。
【００６２】
［エラーモード−ユーザモード転換条件］
エラーモード−ユーザモード転換条件はエラーモード状態からユーザモードに転換されるための条件である。
【００６３】
保安状態マシン１２０はセンサ入力部１１０を介して獲得した保安状態情報がドアを閉め、取っ手の鍵を閉めた後、ＨＭＩを介してユーザモードに転換した場合であればエラーモード−ユーザモード転換条件を満足すると判断する。
【００６４】
図５は、本発明の他の一実施例によるエネルギー貯蔵装置のための保安装置を示す図である。
【００６５】
図５を参照すると、本発明の一実施例によるエネルギー貯蔵装置のための保安装置１００はエネルギー貯蔵装置２００の内部に設置されずにエネルギー貯蔵装置２００の外部に設置されている。
【００６６】
図６は、本発明の他の一実施例によるエネルギー貯蔵装置のための保安装置の動作方法を示すフローチャートである。
【００６７】
センサ入力部１１０はドア開閉センサ及び鍵開け閉めセンサからドアの開閉可否と鍵の開け閉め可否を含む保安状態情報を獲得するＳ１０１。
【００６８】
保安状態マシン１２０は獲得した保安状態情報が複数個の 手順を有する保安状態条件を順番に満足するのか否かに応じてエネルギー貯蔵装置２００の内部を操作可能に許容するＳ１０３，Ｓ１０５。
【００６９】
詳しくは、エネルギー貯蔵装置の内部を操作可能に許容するステップは、エネルギー貯蔵装置の一般的な基本動作を行うユーザモード、エネルギー貯蔵装置の定期点検や管理のためにドアを開けるための管理者モード、任意的・悪意的操作が認識されることによる警報措置を実行するエラーモードを含む複数個の保安状態モード間を転換するステップを含む。
【００７０】
上述したように、複数個の保安状態モード間の転換条件は、ユーザモード−管理者モード転換条件、ユーザモード−エラーモード転換条件、管理者モード−ユーザモード転換条件、管理者モード−エラーモード転換条件、エラーモード−ユーザモード転換条件を含む。
【００７１】
また、ユーザモード−管理者モード転換条件は、ユーザモード状態でユーザの入力を介して管理者モードに転換し、取っ手の鍵を開けてドアを開放することが順番に行われることである。この際、保安状態マシン１２０はユーザモード−管理者モード転換条件が満足されればユーザモードから管理者モードへの転換を行う。
【００７２】
また、ユーザモード−エラーモード転換条件は、ユーザの入力を介して管理者モードに転換し、鍵が閉まった状態でドアを開放することが順番に行われるか、ユーザ入力を介した管理者モードへの転換なしに鍵が開いた状態になるか、ユーザ入力を介した管理者モードへの転換なしにドアが開放されることのうちいずれか一つである。この際、保安状態マシン１２０はユーザモード−エラーモード転換条件が満足されればユーザモードからエラーモードへの転換を行う。
【００７３】
また、管理者モード−ユーザモード転換条件は、ドアを閉めて取っ手の鍵を閉めた後、ＨＭＩ部を介してユーザモードに転換されることである。この際、保安状態マシン１２０は管理者モード−ユーザモード転換条件が満足されれば管理者モードからユーザモードへの転換を行う。また、管理者モード−ユーザモード転換条件は、ドアを閉めて取っ手の鍵を閉めることが順番に行われることであり、保安状態マシン１２０は管理者モード−ユーザモード転換条件が満足されれば決められた時間が経過してから管理者モードからユーザモードへの転換を行う。
【００７４】
これまで本発明による具体的な実施例について説明したが、本発明の範囲を逸脱しない範囲内で多様な変形が可能であることはもちろんである。よって、本発明の範囲は説明された実施例に限って決められてはならず、後述する特許請求の範囲だけでなく、この特許請求の範囲と均等なものによって決められるべきである。
【図１】
2015175232.tif 000003
【図２】
2015175232.tif 000004
【図３】
2015175232.tif 000005
【図４】
2015175232.tif 000006
【図５】
2015175232.tif 000007
【図６】
2015175232.tif 000008